(57)【特許請求の範囲】
【請求項１】
被験者の血圧値を測定する血圧測定手段と、
前記被験者の生体情報を継続して取得する生体情報取得手段と、
取得された前記生体情報に基づいて前記被験者の睡眠段階を示す深度指標を繰り返し算出する深度算出手段と、
算出された前記深度指標を記憶しておく記憶手段と、
前記記憶手段に記憶されている第一の前記深度指標と、前記深度算出手段が算出した第二の前記深度指標と、に基づいて、睡眠中の前記被験者の前記睡眠段階が所定の条件を満たすか否かを判定する判定手段と、を備え、
前記血圧測定手段が、前記睡眠段階が前記条件を満たすと判定されたときに前記血圧値を測定し、
前記第一の深度指標は、異なるタイミングで取得された前記生体情報に基づいてそれぞれ算出された複数の前記深度指標のうち最も深い前記睡眠段階を示す前記深度指標であり、
前記深度算出手段は、前記第一の深度指標と、前記睡眠段階が前記条件を満たすと判定された前記第二の深度指標のうち最も深い前記睡眠段階を示す前記第二の深度指標と、の平均値を算出し、
前記記憶手段は、前記平均値を新たな前記第一の深度指標として記憶する血圧測定装置。
【請求項２】
前記被験者の体組織を局所的に圧迫する圧迫手段と、前記判定手段と接続され前記圧迫手段が前記体組織を圧迫する圧力を昇降自在に調整する圧力調整手段と、を含み、圧迫されている前記体組織から非観血的に前記血圧値を測定する請求項１に記載の血圧測定装置。
【請求項３】
前記生体情報取得手段は、臥位の前記被験者の下に敷いて用いられる敷設部と、前記敷設部に負荷される前記被験者の自重に基づいて前記被験者の体動を示す体動情報を前記生体情報として取得する検出部と、を含む請求項２に記載の血圧測定装置。
【請求項４】
前記生体情報取得手段は、前記圧迫手段により第一の圧力で圧迫されている前記体組織から前記被験者の拍動を示す拍動情報を前記生体情報として取得し、
前記血圧測定手段は、前記圧迫手段により前記第一の圧力よりも高い第二の圧力で圧迫されている前記体組織から前記血圧値を測定する請求項２に記載の血圧測定装置。
【請求項５】
前記圧力調整手段は、
前記生体情報取得手段が前記拍動情報を取得した後に前記圧力を前記第一の圧力から排圧し、かつ、
前記睡眠段階が前記条件を満たしたことを示す判定結果を前記判定手段から受け付けると、排圧された前記圧力を前記第二の圧力まで昇圧することを特徴とする請求項４に記載の血圧測定装置。
【請求項６】
空気袋と、加圧機構で空気を加圧して前記空気袋に供給するエアーポンプと、を含み、
前記圧力調整手段は、前記排圧を非圧迫状態まで行うとともに、前記排圧の終了から前記昇圧の開始までの間の少なくとも一部の時間にわたって前記加圧機構の動作を停止する請求項５に記載の血圧測定装置。
【請求項７】
前記圧力調整手段による前記圧力の昇降プロファイルに基づいて前記血圧値の測定不良を検知する請求項２から６のいずれか一項に記載の血圧測定装置。
【請求項８】
前記測定不良が検知された場合に、前記深度算出手段は、前記第一の深度指標に第一の重率を乗じ、前記第二の深度指標に前記第一の重率よりも小さな第二の重率を乗じて前記平均値を算出することを特徴とする請求項７に記載の血圧測定装置。
【請求項９】
睡眠中の被験者の生体情報を取得して前記被験者の睡眠段階を示す第一の深度指標を算出する予備工程と、
算出された前記第一の深度指標を記憶する工程と、
前記予備工程とは異なる睡眠中の前記被験者の生体情報を取得して前記睡眠段階を示す第二の深度指標を算出し、記憶されている前記第一の深度指標と算出された前記第二の深度指標とに基づいて前記睡眠段階が所定の条件を満たすか否かを判定する判定工程と、を含み、
前記判定工程を繰り返して実行し、前記睡眠段階が前記条件を満たすと判定されたときに前記被験者の血圧値を測定し、
前記予備工程において、異なるタイミングで取得された前記生体情報に基づいて複数の前記深度指標を算出し、前記複数のうち最も深い前記睡眠段階を示す前記深度指標を前記第一の深度指標として記憶し、
所定長さにわたり繰り返して実行された前記判定工程で前記第一の深度指標と前記第二の深度指標との差異が閾値以下であったときに前記条件を満たすと判定し、
前記判定工程における判定結果に基づいて前記閾値を増減させる血圧測定方法。
【請求項１０】
前記血圧値が測定された後、前記判定工程の実行を停止する請求項９に記載の血圧測定方法。
【発明の詳細な説明】
【技術分野】
【０００１】
本発明は、睡眠中の血圧値を測定する血圧測定装置および血圧測定方法に関する。
【背景技術】
【０００２】
健康管理を行う上で、血圧値を正確に把握することが求められている。起床後の僅かな運動や心理的要因によって血圧値は変動してしまうため、真の血圧値を知るためには睡眠中の被験者の血圧値を測定することが望ましい。深い睡眠中の血圧値は基底血圧とよばれ、これを把握することが健康管理に有用である。人間の睡眠状態は大別してレム睡眠とノンレム睡眠とで構成され、ノンレム睡眠は、さらに睡眠の深さによって２〜４段階に区分される。一般的な人間は、６０分から９０分周期のウルトラディアンリズムでレム睡眠とノンレム睡眠とを繰り返すことが知られている。このため、各種センサを備えた器具を就寝時の被験者に装着して、睡眠の深さと血圧値とを対応づけて測定する技術が提案されている。
【０００３】
特許文献１には、就寝直後の脈波周期と、睡眠中の任意の時点での脈波周期との比率に基づいてそのときの睡眠の深さレベルを決定し、この深さレベルが所定の条件を満足したときに被験者の血圧値を測定する血圧測定装置が記載されている。血圧値を測定する条件としては、ノンレム睡眠のうち最も深いレベルＩＶに達したときのほか、深さレベルが急激に浅くなったときなどが例示されている。
【０００４】
特許文献２には、心電計測と脈波計測を併用して睡眠中の被験者の心臓から末梢までの脈波の時間遅れに相当する脈波伝播時間を計測し、この脈波伝搬時間の逆数から血圧値を推算する健康管理装置が記載されている。この装置では、時間変化する血圧値の波形を解析して低周波数領域の指標と高周波数領域の指標を算出し、これらの指標と閾値とを大小判定することで睡眠の深さを決定する。
【先行技術文献】
【特許文献】
【０００５】
【特許文献１】特開２００７−２２９２３８号公報
【特許文献２】特開２００６−２１２２１８号公報
【発明の概要】
【発明が解決しようとする課題】
【０００６】
しかしながら、被験者の年齢や体質などの要因により睡眠中の脈波周期の変化量は大きく異なるため、特許文献１の血圧測定装置では睡眠の深さを正しく決定することができない。具体的には、高齢者や元来睡眠が浅い被験者などは、就寝直後の脈波周期とノンレム睡眠時の脈波周期に大きな差異が無い場合がある。このため、全睡眠過程を通じても所定の測定条件を満たす深さに到達したことが検知されない虞があるなど、測定精度の個人差が大きいという問題がある。
【０００７】
特許文献２の健康管理装置においては、脈波伝搬時間の逆数に乗じて血圧値を算出するための係数や、睡眠の深さを決定するための閾値を、被験者ごとに予め測定して較正しておくことで、血圧値の算出精度の個人差を軽減する試みがなされている。しかしながら、特許文献２の健康管理装置は脈波伝播時間から血圧値を推算するものであるため、血圧値の算出精度が低い。さらに、特許文献２の装置は、時間変化する血圧値の波形を解析して睡眠状態を分析する装置であるため、ノンレム睡眠時の血圧値を推定するためには、全睡眠過程にわたって脈波伝搬時間や血圧値を測定し続けることが前提となる。このため、特許文献２の装置は被験者への負荷が大きく正常な睡眠を阻害するため、睡眠中の安定した血圧値を測定することができないという問題がある。このため、特許文献１や特許文献２の装置では睡眠中の被験者の血圧値を精度よく測定することができない。
【０００８】
本発明は上述の課題に鑑みてなされたものであり、被験者の年齢や睡眠の特性によらず真に安定した血圧値を精度よく測定することができる装置および方法を提供するものである。
【課題を解決するための手段】
【０００９】
本発明の血圧測定装置は、被験者の血圧値を測定する血圧測定手段と、前記被験者の生体情報を継続して取得する生体情報取得手段と、取得された前記生体情報に基づいて前記被験者の睡眠段階を示す深度指標を繰り返し算出する深度算出手段と、算出された前記深度指標を記憶しておく記憶手段と、前記記憶手段に記憶されている第一の前記深度指標と、前記深度算出手段が算出した第二の前記深度指標と、に基づいて、睡眠中の前記被験者の前記睡眠段階が所定の条件を満たすか否かを判定する判定手段と、を備え、前記血圧測定手段が、前記睡眠段階が前記条件を満たすと判定されたときに前記血圧値を測定することを特徴とする。
【００１０】
また本発明の血圧測定方法は、睡眠中の被験者の生体情報を取得して前記被験者の睡眠段階を示す第一の深度指標を算出する予備工程と、算出された前記第一の深度指標を記憶する工程と、前記予備工程とは異なる睡眠中の前記被験者の生体情報を取得して前記睡眠段階を示す第二の深度指標を算出し、記憶されている前記第一の深度指標と算出された前記第二の深度指標とに基づいて前記睡眠段階が所定の条件を満たすか否かを判定する判定工程と、を含み、前記判定工程を繰り返して実行し、前記睡眠段階が前記条件を満たすと判定されたときに前記被験者の血圧値を測定することを特徴とする。
【００１１】
上記発明によれば、被験者の睡眠段階を示す深度指標を予め記憶しておき、この記憶されている深度指標と睡眠中の被験者の深度指標とに基づいて、血圧値を測定するタイミングを判定する。このため、血圧値の測定結果が被験者ごとにばらつくことがない。また、全睡眠過程にわたって血圧値を測定し続ける必要がないため被験者の睡眠を阻害することもない。
【００１２】
また、本発明の血圧測定装置は、被験者の血圧値を測定する血圧測定手段と、前記被験者の生体情報を継続して取得する生体情報取得手段と、取得された前記生体情報に基づいて前記被験者の睡眠段階を算出する深度算出手段と、所定の睡眠段階を示す参照睡眠段階を記憶しておく記憶手段と、前記記憶手段に記憶されている参照睡眠段階と、前記深度算出手段が算出した睡眠段階と、に基づいて、睡眠中の前記被験者の前記睡眠段階が所定時間前記参照睡眠段階を継続したか判定する判定手段と、を備え、前記血圧測定手段が、睡眠中の前記被験者の前記睡眠段階が所定時間前記参照睡眠段階を継続したと判定されたときに前記血圧値を測定することを特徴とする。
【００１３】
また、本発明の血圧測定方法は、被験者の血圧値を測定する血圧測定工程と、前記被験者の生体情報を継続して取得する生体情報取得工程と、取得された前記生体情報に基づいて前記被験者の睡眠段階を算出する深度算出工程と、所定の睡眠段階を示す参照睡眠段階と、前記深度算出工程で算出した睡眠段階と、に基づいて、睡眠中の前記被験者の前記睡眠段階が所定時間前記参照睡眠段階を継続したか判定する判定工程と、を備え、前記血圧測定工程では、前記判定工程において睡眠中の前記被験者の前記睡眠段階が所定時間前記参照睡眠段階を継続したと判定されたときに前記血圧値を測定することを特徴とする。
【００１４】
上記発明によれば、睡眠段階が所定の状態を所定時間継続したことをトリガに血圧値を測定する。すなわち、所定時間より短い時間、例えば一瞬だけ被験者の睡眠段階が所定の状態（参照睡眠段階）となっても、それを血圧値測定のトリガにしない。このため、被験者の睡眠段階の判定を精度よく行うことができ、結果、真に安定した血圧値を精度よく測定することが可能となる。
【発明の効果】
【００１５】
本発明によれば、被験者の年齢や睡眠の特性によらず真に安定した血圧値を精度よく測定することができる。
【図面の簡単な説明】
【００１６】
【図１】本発明の第一実施形態の血圧測定装置の使用状態を示す斜視図である。
【図２】第一実施形態の血圧測定装置の構成を示すブロック図である。
【図３】（ａ）は血圧測定部を被験者の手首などの腕部に装着する状態を示す断面模式図である。（ｂ）は装着された圧迫部が腕部を圧迫している状態を示す断面模式図である。
【図４】血圧測定方法の全体工程を示すフローチャートである。
【図５】予備工程の詳細を示すフローチャートである。
【図６】本測定工程の詳細を示すフローチャートである。
【図７】サンプリング測定された被験者の睡眠特性の一例を示すグラフである。
【図８】本測定工程で測定された被験者の睡眠特性の一例を示すグラフである。
【図９】第二実施形態の血圧測定装置の構成を示すブロック図である。
【図１０】変形例の血圧測定工程を示すフローチャートである。
【発明を実施するための形態】
【００１７】
以下、本発明の実施形態を図面に基づいて説明する。尚、すべての図面において、同様な構成要素には同様の符号を付し、適宜説明を省略する。
【００１８】
＜第一実施形態＞
図１は本発明の第一実施形態の血圧測定装置１００の使用状態を示す斜視図である。
図２は本実施形態の血圧測定装置１００の構成を示すブロック図である。
【００１９】
はじめに本実施形態の概要について説明する。
本実施形態の血圧測定装置１００は、血圧測定部１０、生体情報取得部２０、深度算出部３０、記憶部４０および判定部５０を備えている。
血圧測定部１０は、被験者Ｓの血圧値を測定する手段である。生体情報取得部２０は、被験者Ｓの生体情報ＢＩを継続して取得する手段である。深度算出部３０は、取得された生体情報ＢＩに基づいて被験者Ｓの睡眠段階を示す深度指標αを繰り返し算出する手段である。記憶部４０は、算出された深度指標αを記憶しておく手段である。判定部５０は、記憶部４０に記憶されている第一の深度指標α２と、深度算出部３０が算出した第二の深度指標αと、に基づいて、睡眠中の被験者Ｓの睡眠段階が所定の条件（開始条件）を満たすか否かを判定する手段である。
深度算出部３０および判定部５０は、ＣＰＵ（Central Processing Unit）により実現される制御演算部６０である。
本実施形態の血圧測定部１０は、睡眠段階がこの開始条件を満たすと判定されたときに血圧値を測定する。
【００２０】
以下、本実施形態を更に詳細に説明する。
本実施形態の血圧測定装置１００は個人ユーザが家庭で血圧値を測定する装置である。血圧測定装置１００は、睡眠中の被験者Ｓから生体情報取得部２０で生体情報ＢＩを連続的または間欠的に取得して睡眠段階を算出し、この睡眠段階が後述する所定の開始条件を満たしたときに血圧測定部１０で血圧値を測定する。生体情報取得部２０が取得する生体情報ＢＩとしては、体動、脈波、脳波、体温、呼吸数（呼吸周波数）、脈拍数（脈波周波数）、心拍数（心拍周波数）を例示する。これらの二以上を測定して睡眠段階を算出してもよい。本実施形態では生体情報ＢＩとして体動を測定し、後述する第二実施形態では脈波を測定する。他の生体情報ＢＩの測定方法はそれぞれ公知であり詳述は省略する。
【００２１】
図１に示す本実施形態の生体情報取得部２０は、臥位の被験者Ｓの下に敷いて用いられる敷設部２２と、敷設部２２に負荷される被験者Ｓの自重に基づいて被験者Ｓの体動を示す体動情報ＭＶを生体情報ＢＩとして取得する検出部２４と、を含む。体動情報ＭＶとは、被験者Ｓの呼吸や拍動に例示される周期的な体動のプロファイルを表す波形データである。
【００２２】
敷設部２２は、水などの非圧縮性の流体を内封した平坦な袋体である。被験者Ｓは敷設部２２の上に直接寝てもよく、または図示のように薄手のベッドパッド２００と厚手のマットレス２０１との間に敷設部２２を挟んだうえで、被験者Ｓはベッドパッド２００の上に寝てもよい。被験者Ｓの臥位は仰臥位が代表的である。
【００２３】
敷設部２２において、被験者Ｓの身長に沿う方向の長さ寸法Ｌは、被験者Ｓの身長よりも短い。敷設部２２の幅方向（長さ寸法Ｌに直交する方向）の寸法は被験者Ｓの体幹の幅寸法よりも大きく、例えばシングルベッドの幅寸法に略等しい。これにより、足先と頭をベッドパッド２００に載置した被験者Ｓの自重の一部、具体的には胸の自重が敷設部２２に負荷される。被験者Ｓの全自重ではなく、心拍や呼吸により周期的に変形する胸部を含む一部自重のみを敷設部２２に負荷することにより、心拍や呼吸などの体動に伴って敷設部２２への荷重負荷が変動する。このため、敷設部２２に内封された流体の圧力変動を検出部２４で測定することにより被験者Ｓの体動が検出される。
【００２４】
検出部２４は、コンデンサマイクロホンなど、圧力（音圧）を電気信号に変換する圧電変換素子を含み、敷設部２２の袋体に接して配置されて敷設部２２と電気的に接続されている。
【００２５】
生体情報取得部２０は入出力部２８を備えている。入出力部２８は操作ボタンを含み、体動情報ＭＶの検出の開始または停止を被験者Ｓから受け付ける。入出力部２８は、表示部またはデータ記録部を含む。血圧測定部１０が測定した血圧値（最高血圧、最低血圧）および心拍数（脈拍数）を表示部で表示出力してもよく、またはデータ記録部により可搬式の記憶媒体に血圧値および心拍数を記録してもよい。
【００２６】
本実施形態の生体情報取得部２０は、被験者Ｓを圧迫することなく、敷設部２２に内封された液体の圧力を介して臥位の被験者Ｓの自重の時間変化を計測するものであるため、検出部２４による生体情報ＢＩの取得にあたって被験者Ｓに負荷を与えない。このため、生体情報ＢＩを連続的に、または多数回にわたって繰り返して取得しても被験者Ｓの睡眠を損なわない。本実施形態の生体情報取得部２０は、１Ｈｚ以上のサンプリング周波数で生体情報ＢＩ（体動情報ＭＶ）を取得するとよい。
【００２７】
図２に示すように、生体情報取得部２０が被験者Ｓから取得した生体情報ＢＩ（体動情報ＭＶ）は制御演算部６０の深度算出部３０に送られる。
【００２８】
深度算出部３０は、生体情報ＢＩ（体動情報ＭＶ）に基づいて被験者Ｓの睡眠段階を示す深度指標αを算出する。睡眠段階とは、被験者Ｓの睡眠の深さの度合を定量化したものである。睡眠が深い状態を大きな値の睡眠段階として表すとよいが、逆に睡眠が浅い状態を大きな値の睡眠段階として表してもよい。睡眠段階の段階数は特に限定されず、一例として３以上１０以下とすることができる。さらに具体的には、覚醒（安静）状態、レム睡眠状態、ノンレム睡眠状態のレベル１から４をあわせて、段階数を６とすることができる。睡眠段階の段階数を多数に設定することで、睡眠段階を実質的に連続的な値とすることができる。
【００２９】
深度指標αは、睡眠段階と正または負の相関があるデータである。深度指標αと睡眠段階とは互いに換算可能でもよく、または深度指標αから睡眠段階に一方的に換算可能でもよい。
深度算出部３０は、体動の周波数の上下限領域外の周波数成分をカットするフィルタ部と、検出部２４で検出された体動情報ＭＶの波形を増幅するアンプ部、所定の周波数領域で周波数解析を行う周波数解析部を含む。
深度算出部３０は、体動情報ＭＶの波形データを所定長さ単位のエポックに分割して、エポック単位で体動情報ＭＶの周波数解析を行う。エポックの長さは特に限定されないが、レム睡眠状態またはノンレム睡眠状態の深さレベル１〜４など、睡眠状態が変化する周期よりも十分に短い長さ（例えば、３０秒間）とする。
【００３０】
深度指標αとしては、被験者Ｓの呼吸波形を示す０．２５〜１Ｈｚ程度の比較的低周波領域における主成分の周期（呼吸周波数）や、被験者Ｓの脈波を示す０．７５〜２Ｈｚ程度の比較的高周波領域における主成分の周期（脈波周波数）を挙げることができる。このほか、上記低周波数または高周波数領域のパワースペクトルのパワー値や、全周波数領域のパワー値に対する低周波数または高周波数領域のパワー値の比率などの数値データ、またはパワースペクトルの波形データなどを広く例示することができる。
【００３１】
深度算出部３０は、睡眠中の被験者Ｓの深度指標αを繰り返して算出する。
判定部５０は、この繰り返して算出された深度指標αを、予め被験者Ｓ自身からサンプリング測定された過去の深度指標（第一の深度指標α２）と、本測定して算出された新たな第二の深度指標αとの条件判定を行って血圧値の測定開始タイミングを決定する。本測定とは、血圧値を測定する睡眠において生体情報ＢＩを取得して深度指標αを算出することをいう。具体的には、判定部５０は、深度算出部３０が算出した深度指標αが、記憶部４０に記憶されている第一の深度指標α２の近傍に達した場合に、そのエポックにおける睡眠段階が上記所定の開始条件を満たしたと判定する。より具体的に本実施形態の判定部５０は、第一の深度指標α２と第二の深度指標αとの乖離幅が閾値以下である状態が、連続する所定回数のエポックにわたって継続した場合に、被験者Ｓの睡眠状態が上記の開始条件を満たしたと判定する。これにより、体動情報ＭＶのばらつきによる測定誤差による血圧測定部１０の誤作動を防止する。
【００３２】
本実施形態で用いる第一の深度指標α２は、異なるタイミングで取得された生体情報ＢＩ（体動情報ＭＶ）に基づいてそれぞれ算出された複数の深度指標αのうち、被験者Ｓの最も深い睡眠段階を示す深度指標である。異なるタイミングで生体情報ＢＩを取得するとは、一続きの一回の睡眠において異なる時点で生体情報ＢＩを取得することのほか、異なる日の複数回の睡眠においてそれぞれ生体情報ＢＩを取得することを含む。すなわち本実施形態の血圧測定装置１００は、被験者Ｓのノンレム睡眠状態の深さレベル４に相当する深度指標（第一の深度指標α２）を記憶部４０に記憶しておく。本実施形態においては、睡眠段階が大きいとは睡眠が深いことを意味する。睡眠中に加え、入眠前の安静時についても同様に睡眠段階を算出することができる。第一の深度指標α２が被験者Ｓの最も深い睡眠段階を示すとは、例えば、睡眠が深い状態を大きな値の睡眠段階として表す場合において、一続きの一回の睡眠における睡眠段階の最大値に相当する深度指標を第一の深度指標α２に設定することをいう。以下、特に断りなき場合、睡眠が深い状態を大きな値の睡眠段階として表すものとする。このほか、一回の睡眠において睡眠段階が大きい（深い）上位数個の平均値でもよく、または複数回の睡眠におけるそれぞれ最も深い睡眠段階の値の平均値でもよい。測定精度を向上する観点から、最も深い睡眠段階の値が次点以下の睡眠段階の値と顕著に異なる場合は、これを誤差とみなし、次点の睡眠段階の値を第一の深度指標α２に設定してもよい。
【００３３】
記憶部４０には、被験者Ｓの最も深い睡眠段階を示す第一の深度指標α２のほか、就寝前の安静時に取得された生体情報ＢＩに基づいて算出された深度指標（以下、安静時指標α１）、および閾値係数γが記憶されている。安静時指標α１が示す睡眠段階は、第一の深度指標α２が示す睡眠段階よりも小さな値である。
判定部５０は、深度算出部３０により算出された第二の深度指標αと、記憶部４０に記憶された第一の深度指標α２との差異が所定長さにわたり繰り返して閾値以下である場合に、血圧測定の開始条件を満たすと判定する。開始条件の具体的な判定方法については後述する。本実施形態の記憶部４０は不揮発性メモリである。予備工程で算出された安静時指標α１や第一の深度指標α２を記憶部４０に記録して血圧測定装置１００の電源を切断しても、これらの記録データは失われない。後日の睡眠において、電源が再投入された血圧測定装置１００を用いて、この記録されている安静時指標α１や第一の深度指標α２に基づいて血圧測定の開始条件を判定することができる。
【００３４】
なお、記憶部４０に記憶しておく安静時指標α１や第一の深度指標α２を算出するための予備測定において取得される生体情報ＢＩと、本測定で取得される生体情報ＢＩとは、同種でもよくまたは異種でもよい。例えば、予備測定と本測定において共に最低呼吸周波数に基づいて安静時指標α１、第一の深度指標α２および第二の深度指標αを算出してもよい。または、予備測定では被験者Ｓの最低脈拍数に基づいて安静時指標α１および第一の深度指標α２を算出し、本測定では最低呼吸周波数に基づいて第二の深度指標αを算出してもよい。
【００３５】
判定部５０が血圧測定の開始条件を満たしたと判定すると、判定部５０は血圧測定部１０の圧力調整部１４（図２）に開始信号を送信してエアーポンプ１４２および開閉弁１４６を駆動させる。これにより、被験者Ｓごとの睡眠特性によらず、被験者Ｓが所定の睡眠段階（本実施形態の場合、ノンレム睡眠の深さレベル４）に達したことを正確に判定して、そのときの血圧値を測定することができる。
【００３６】
図１に示すように、血圧測定部１０には送受信部１４８が設けられ、生体情報取得部２０には送受信部２６が設けられている。送受信部２６、１４８は双方向に通信可能な無線インタフェースである。生体情報取得部２０には制御演算部６０（深度算出部３０、判定部５０）および記憶部４０が一体に組み込まれている。
【００３７】
血圧測定部１０は、被験者Ｓの血管内の圧力を実測する。血圧の測定原理は観血式と非観血式とに大別されるが、被験者Ｓの負担軽減から非観血式が好ましい。非観血的な血圧測定原理には、コロトコフ音を測定する聴診法（コロトコフ法）と、心臓の拍動が動脈壁を伝搬していく脈波を測定する脈波法とが知られている。コロトコフ音や脈波は、被験者Ｓの上腕、手首または指先などの上肢部を圧迫した状態で測定する。脈波法としては、脈波の測定方法が互いに異なるオシロメトリ法、トノメトリ法、容積補償法などが知られている。血圧測定部１０には、聴診法または脈波法をいずれも用いることができる。または両方法を併用して血圧値を測定してもよい。
【００３８】
図３（ａ）は、本実施形態の血圧測定部１０を被験者の手首などの腕部ＳＡに装着する状態を示す断面模式図である。図３（ｂ）は、装着された圧迫部１２が腕部ＳＡを圧迫している状態を示す断面模式図である。以下、空気袋１２２を備えるカフ帯を圧迫部１２に用いて被験者Ｓの手首などの腕部ＳＡを圧迫し、オシロメトリ法により血圧値を測定する血圧測定部１０を例示して本実施形態を説明する。
【００３９】
本実施形態の圧迫部１２は帯状の袋体である。圧迫部１２の長尺方向の両端に面ファスナなどの接合部１２６を備えている。圧迫部１２を環状にループさせて腕部ＳＡの周囲に遊着し、周長を適宜調整して接合部１２６で圧迫部１２の両端を互いに接続することにより圧迫部１２を腕部ＳＡに装着する。
【００４０】
図２に示すように、本実施形態の血圧測定装置１００は、被験者Ｓの体組織（例えば、手首）を局所的に圧迫する圧迫部１２と、判定部５０と電気的に接続され圧迫部１２が体組織を圧迫する圧力（圧迫圧）を昇降自在に調整する圧力調整部１４と、を含む。血圧測定装置１００は、圧迫部１２に圧迫されている体組織（例えば、手首の動脈）から非観血的に血圧値を測定する。
【００４１】
血圧測定装置１００は、空気袋１２２と、加圧機構１４４で空気ＡＩＲを加圧して空気袋１２２に供給するエアーポンプ１４２と、を含む。エアーポンプ１４２が供給する空気ＡＩＲは気体全般を意味する。血圧測定装置１００の雰囲気でもよく、ボンベなどに貯留された専用ガスでもよい。圧力調整部１４およびエアーポンプ１４２には開閉弁１４６が接続されて空気ＡＩＲの流路を構成している。開閉弁１４６を閉止して加圧機構１４４を駆動することで空気袋１２２の内圧が上昇し、開閉弁１４６を開放することで空気袋１２２が大気開放される。加圧機構１４４の駆動制御および開閉弁１４６の開閉制御は圧力調整部１４が行う。圧力調整部１４は、判定部５０から血圧測定の開始信号を受信して、加圧機構１４４の動作または停止、および動作圧力の昇降調整を行う。具体的には、血圧測定時には開閉弁１４６を閉止し、測定終了後に開閉弁１４６を開放する。
【００４２】
血圧測定部１０は処理部１１を備えている。処理部１１は圧力調整部１４および血圧算出部１６を実現するＣＰＵである。血圧算出部１６は、圧力センサ１６０が取得した脈波信号ＰＳに基づいて被験者Ｓの血圧値を算出する手段である。
【００４３】
血圧測定部１０は、圧力センサ１６０、フィルタ１６２、アンプ１６４およびコンバータ１６６を備えている。腕部ＳＡを圧迫する圧迫部１２の空気袋１２２に対して腕部ＳＡの動脈の周期的な脈圧が負荷されるため、空気袋１２２の内圧は周期的に振動する。空気袋１２２の内圧を連続的に変化させていくと、被験者Ｓの最高血圧または最低血圧と空気袋１２２の内圧とが一致したときに空気袋１２２の内圧の振幅は急増または急減する。圧力調整部１４がエアーポンプ１４２を駆動して空気袋１２２の内圧を上昇または降下させながら、空気袋１２２の内圧の変動波形（脈波信号ＰＳ）を圧力センサ１６０で連続的に測定する。本実施形態の圧力センサ１６０が取得する脈波信号ＰＳはアナログ信号である。フィルタ１６２は、圧力センサ１６０が取得した脈波信号ＰＳから高周波および低周波ノイズを除去する。アンプ１６４は、ノイズが除去された脈波信号ＰＳを増幅する。コンバータ１６６は、増幅された脈波信号ＰＳをデジタル信号に変換するアナログ−デジタル（Ａ／Ｄ）変換器である。血圧算出部１６は、デジタル信号に変換された脈波信号ＰＳを波形解析して最高血圧および最低血圧を算出する。以上により血圧測定部１０で血圧値が測定される。
【００４４】
血圧測定部１０による血圧測定は、被験者Ｓの最高血圧よりも圧迫圧を高くしてから徐々に減圧して最高血圧と最低血圧をこの順に測定する降圧法でもよい。または被験者Ｓの最低血圧よりも低い圧迫圧から徐々に加圧して最低血圧と最高血圧をこの順に測定する昇圧法でもよい。本実施形態では、圧迫圧の最高値を被験者Ｓの最高血圧程度に抑制できて睡眠を阻害しにくいという観点から昇圧式で血圧測定することが好ましい。
【００４５】
血圧算出部１６が算出した血圧値を示す血圧データＢＰは、送受信部１４８、２６を介して制御演算部６０に送信され、記憶部４０に記憶される。
【００４６】
図１および図３では、圧力調整部１４、エアーポンプ１４２および開閉弁１４６（以下、あわせて圧力制御系という）、血圧算出部１６、圧力センサ１６０、フィルタ１６２、アンプ１６４およびコンバータ１６６（以下、あわせて血圧信号処理系という）、ならびに空気ＡＩＲの流路を構成するチューブの図示を省略している。圧力制御系および血圧信号処理系は、カフ帯（圧迫部１２）と一体構成してもよい。または、圧力制御系および血圧信号処理系をカフ帯と別体で構成してチューブおよび信号線によってカフ帯と接続してもよい。この場合、圧力制御系および血圧信号処理系を生体情報取得部２０と一体構成して電源を共用してもよい。
【００４７】
以下、本実施形態の血圧測定装置１００を用いて行う被験者Ｓの血圧測定方法（以下、第一方法）について説明する。図４は第一方法の全体工程を示すフローチャートである。図５は予備工程Ｓ１０の詳細を示すフローチャートである。図６は本測定工程Ｓ３０の詳細を示すフローチャートである。
【００４８】
はじめに、第一方法の概要について説明する。
第一方法は、予備工程Ｓ１０、記憶工程Ｓ２０、本測定工程Ｓ３０とからなる（図４を参照）。
予備工程Ｓ１０では、生体情報取得部２０が被験者Ｓの生体情報ＢＩを取得し、深度算出部３０は被験者Ｓの睡眠段階を示す第一の深度指標α２を算出する。
記憶工程Ｓ２０では、制御演算部６０は、算出された第一の深度指標α２を記憶部４０に記憶する。
本測定工程Ｓ３０は判定工程Ｓ４０および血圧測定工程Ｓ５０を含む（図６を参照）。
判定工程Ｓ４０および血圧測定工程Ｓ５０は、予備工程Ｓ１０とは異なる睡眠中に行われる。異なる睡眠とは、被験者Ｓが覚醒して所定時間が経過した後に、再び入眠した睡眠をいう。予備工程Ｓ１０と、判定工程Ｓ４０および血圧測定工程Ｓ５０と、は異なる日に実施するとよい。
判定工程Ｓ４０では、生体情報取得部２０が睡眠中の被験者Ｓの生体情報ＢＩを取得し、深度算出部３０は被験者Ｓの睡眠段階を示す第二の深度指標αを算出する。記憶部４０に記憶されている第一の深度指標α２と、深度算出部３０で算出された第二の深度指標αとに基づいて、判定部５０は睡眠中の被験者Ｓの睡眠段階が所定の条件（開始条件）を満たすか否かを判定する。
第一方法では、判定工程Ｓ４０を繰り返して実行し、被験者Ｓの睡眠段階が開始条件を満たすと判定されたときに、睡眠中の被験者Ｓの血圧値を血圧測定部１０で測定する血圧測定工程Ｓ５０を行う。
【００４９】
予備工程Ｓ１０においては、異なるタイミング（エポック）で取得された生体情報ＢＩに基づいて被験者Ｓから複数の深度指標を算出する。記憶工程Ｓ２０では、これらの複数のうち、被験者Ｓの最も深い睡眠段階を示す深度指標を第一の深度指標α２として記憶部４０に記憶する。
【００５０】
以下、第一方法をより詳細に説明する。
図２および図５に示すように、予備工程Ｓ１０では、生体情報取得部２０の敷設部２２の上に仰臥した就寝前の被験者Ｓの体動情報ＭＶを検出部２４で取得し、制御演算部６０の深度算出部３０で深度指標αを算出する。これにより、安静時（覚醒時）の被験者Ｓの睡眠段階が測定される（ステップＳ１１）。生体情報取得部２０では、１つのエポックだけ体動情報ＭＶを取得して深度指標αを算出してもよく、または数エポックに亘って体動情報ＭＶを取得してそれぞれ深度指標αを算出し、これらを平均してもよい。
制御演算部６０は、求められた深度指標αを安静時指標α１として記憶部４０に記録して保存しておく（ステップＳ１２）。
【００５１】
生体情報取得部２０は被験者Ｓの体動情報ＭＶを所定のサンプリング周波数で取得し、エポックごとに周波数解析して深度指標αを繰り返し算出する。被験者Ｓの入眠後も同様に深度指標αを繰り返し算出し（ステップＳ１３）、制御演算部６０はこれらを記憶部４０に記録していく（ステップＳ１４）。一晩にわたる睡眠を終了して被験者Ｓが覚醒するまで、深度指標αの算出を繰り返す（ステップＳ１５：ＮＯ）。
【００５２】
上記では予備工程Ｓ１０において被験者Ｓの睡眠中にリアルタイムで深度指標αを算出することを例示した。これに代えて、被験者Ｓの睡眠中に体動情報ＭＶを記憶部４０に記録しておき、被験者Ｓの覚醒後に体動情報ＭＶを周波数解析して深度指標αを算出してもよい。
【００５３】
図７は、予備工程Ｓ１０でサンプリング測定された被験者Ｓの睡眠特性の一例を示すグラフである。横軸は入眠からの経過時間を示し、縦軸は睡眠段階を示す。縦軸の下方ほど深い睡眠を表している。状態ＡＷは覚醒状態、状態ＲＥＭはレム睡眠状態、状態Ｌｖ１〜Ｌｖ４はノンレム睡眠状態を表している。Ｌｖ１〜Ｌｖ４の数字は、ノンレム睡眠状態の深さレベル１〜４に対応している。一般に、入眠後に睡眠は急激に深くなってノンレム睡眠状態に至る（状態Ｌｖ１）。その後、時間経過とともに睡眠はさらに深くなり最大の睡眠段階（状態Ｌｖ４）に至る。最も深い睡眠状態は２０〜３０分程度継続する。その後、ウルトラディアンリズム（睡眠周期：例えば９０分）の約半分をかけて睡眠は浅くなり、レム睡眠状態（ＲＥＭ）に至る。以降は、レム睡眠状態とノンレム睡眠状態とを睡眠周期ごとに繰り返して覚醒状態（ＡＷ）に至る。
ここで、睡眠周期ごとに訪れる、当該周期における最も深い睡眠段階は、時間経過とともに浅くなっていくことが一般的である。言い換えると、１回目または２回目の睡眠周期において最も深い睡眠段階をとり、以降の睡眠周期ではノンレム睡眠の最大深さは浅くなり、言い換えると睡眠段階の極大値は徐々に小さくなっていく。睡眠段階が最大値（最深値）をとるとき、被験者Ｓはもっとも深く安定した睡眠状態にある。第一方法によれば、この安定した深い睡眠時の血圧、すなわち基底血圧を測定することができる。
【００５４】
睡眠が終了して被験者Ｓが覚醒すると（ステップＳ１５：ＹＥＳ）、制御演算部６０は、記憶部４０に記録された深度指標αのうち、所定の開始条件を満たすものを第一の深度指標α２に設定する。第一方法では、安静時指標α１から最も大きく乖離した深度指標αを第一の深度指標α２に設定する（ステップＳ１６）。
【００５５】
ここで、レム睡眠状態（ＲＥＭ）における呼吸周波数や脈波周波数は被験者ごとのばらつきが大きく、安静時の呼吸周波数や脈波周波数よりも顕著に大きくなる場合がある。一方、ノンレム睡眠状態における呼吸周波数や脈波周波数は安静時の呼吸周波数や脈波周波数よりも小さいことが通常である。このため、第一の深度指標α２を設定するにあたっては、算出された深度指標αと安静時指標α１との差分の絶対値が最大のものを選択するのではなく、符号つきの差分値に基づいて第一の深度指標α２を算出してもよい。これにより、レム睡眠状態と安静時との深度指標の乖離幅（絶対値）が、安静時とノンレム睡眠状態との深度指標の乖離幅（絶対値）よりも大きい場合であっても、ノンレム睡眠状態と誤ってレム睡眠状態の深度指標を選択して第一の深度指標α２に設定してしまうことがない。
深度指標として脈波周波数を用いる場合を例示して具体的に説明する。脈波周波数が小さいほどノンレム睡眠状態における睡眠段階が深いことが通常であることから、ノンレム睡眠状態の深度指標は安静時指標α１よりも小さい。言い換えると、（ノンレム睡眠状態の深度指標−安静時指標α１）の値は負である。逆にレム睡眠状態の深度指標は安静時指標α１よりも大きく、（レム睡眠状態の深度指標−安静時指標α１）が正の値になることが多い。第一方法では、最も深い睡眠段階に対応する深度指標を第一の深度指標α２として設定する。よって、睡眠中の被験者Ｓから経時的に算出された深度指標αと安静時指標α１との差分、すなわち（深度指標α−安静時指標α１）の値が負であってかつ絶対値が最大であるとき、言い換えるとこの値が最小であるときの深度指標αを、第一の深度指標α２として設定するとよい。
以下、安静時指標α１からの乖離度が最大の深度指標αとは、（深度指標α−安静時指標α１）の値のうち、（ノンレム睡眠状態の深度指標−安静時指標α１）の値と同符号をもち、かつ絶対値が最大のものをいう。
なお、深度指標が、睡眠段階の深さレベルと負の相関をもつことが好ましい。これにより、（ノンレム睡眠状態の深度指標−安静時指標α１）の値は負となり、これが最小となるときの深度指標は睡眠段階の最大レベルに対応することとなる。
【００５６】
なお、上記では深度指標αと安静時指標α１との符号つきの差分値を算出することでレム睡眠状態とノンレム睡眠状態とを区別することを例示したが、本発明はこれに限られない。たとえば、レム睡眠状態における深度指標はノンレム睡眠状態に比べて経時的なばらつきが大きいことを利用して、直近の複数のエポックにおける深度指標の分散値を算出することによって被験者Ｓの睡眠状態を判定してもよい。この分散値が所定の閾値よりも小さい場合は被験者Ｓがノンレム睡眠状態にあると判定することができる。そして、被験者Ｓがノンレム睡眠状態にあると判定されたときの深度指標αのみを対象として安静時指標α１との差分を算出することで、当該差分の絶対値が最大となるときの深度指標αを第一の深度指標α２として適切に選択することができる。
【００５７】
第一方法では、このようにして設定された第一の深度指標α２を用いることにより、被験者Ｓの睡眠段階が最大であることを開始条件として血圧値が測定される。このとき、安静時指標α１からの乖離度が最大の深度指標αを一つのみ抽出して第一の深度指標α２としてもよく、または乖離度の大きさ上位複数個の深度指標αを平均して第一の深度指標α２としてもよい。
すなわち第一方法では、被験者Ｓの睡眠段階が最大となることを示す深度指標αを抽出する。図７に示す例の場合、１回目の睡眠周期における最も深い睡眠段階（最大値）に相当する深度指標αが第一の深度指標α２として抽出される。
【００５８】
なお、ステップＳ１５において、被験者Ｓが覚醒したことを判定する方法は種々を採ることができ、特に限定されない。一例として、被験者Ｓが入出力部２８を手動操作して検出部２４の動作を停止したことをもって被験者Ｓが覚醒したと判定してもよい。または、深度算出部３０が算出した深度指標αの結果が、覚醒状態に対応する値になったことをもって被験者Ｓが覚醒したと判定してもよい。
【００５９】
図４に戻り記憶工程Ｓ２０では、安静時指標α１と、第一の深度指標α２と安静時指標α１との乖離幅β（＝第一の深度指標α２−安静時指標α１）を記憶部４０に保存する。保存する乖離幅βは、絶対値でもよく、正または負の符号つきの値でもよい。本実施形態では、乖離幅βを絶対値（＝｜第一の深度指標α２−安静時指標α１｜）とする。
【００６０】
本測定工程Ｓ３０は、予備工程Ｓ１０と同一の被験者Ｓに対して、異なる睡眠（異なる日）において行われる。図６に示すように、本測定工程Ｓ３０では、睡眠中の被験者Ｓの深度指標αをリアルタイムで算出する（ステップＳ４３）。そして、この深度指標α（第二の深度指標）が第一の深度指標α２に近接したときに開始条件を満たしたと判定し（判定工程Ｓ４０）、血圧値を測定する（血圧測定工程Ｓ５０）。以下具体的に説明する。
【００６１】
被験者Ｓは、入出力部２８（図１、図２）を操作して生体情報取得部２０の検出部２４による体動情報ＭＶの測定を開始して就寝する（ステップＳ３２）。生体情報取得部２０は被験者Ｓの生体情報ＢＩ（体動情報ＭＶ）を測定し（ステップＳ４１）、制御演算部６０はこれを記憶部４０に記録する（ステップＳ４２）。深度算出部３０は、生体情報取得部２０が測定した生体情報ＢＩをエポックごとに周波数解析して呼吸周波数および／または脈波周波数のパワースペクトルを求める。深度算出部３０は、このパワー値に基づいて睡眠段階の深度指標αを算出する（ステップＳ４３）。
【００６２】
図８は、本測定工程Ｓ３０で測定された被験者Ｓの睡眠特性の一例を示すグラフである。横軸は入眠からの経過時間を示し、縦軸は深度指標αに対応する睡眠段階を示す。
【００６３】
（開始条件の判定方法）
第一方法では、所定長さにわたり繰り返して実行された判定工程Ｓ４０で、記憶部４０に記憶されている第一の深度指標α２と、深度算出部３０がリアルタイムで算出した第二の深度指標αと、の差異が閾値（深度閾値）以下であったときに開始条件を満たすと判定する。
第一の深度指標α２と第二の深度指標αとの差異は、指標値同士の符号つきの差分値、または当該差分値の絶対値でもよく、指標値同士の比率でもよい。本実施形態では、第二の深度指標αと第一の深度指標α２との差分の絶対値（＝｜第二の深度指標α−第一の深度指標α２｜）を上記差異とする。
閾値係数γは、記憶部４０に記憶されている１未満の正の数である。第一方法では、予備工程Ｓ１０で算出された乖離幅β（＝｜第一の深度指標α２−安静時指標α１｜）に閾値係数γを乗じた値（＝γ・β）を深度閾値とする。
【００６４】
本実施形態においては、判定部５０は、被験者Ｓのその時点の睡眠段階がノンレム睡眠状態の最大レベルに到達しているものと判定する。
【００６５】
判定部５０は、被験者Ｓの睡眠段階が深度条件を継続して満たした場合に血圧測定の開始条件を満たすと判定する。判定部５０は、算出された新たな第二の深度指標αと第一の深度指標α２との差異（差分の絶対値）が深度閾値以下であると判定すると（ステップＳ４４：ＹＥＳ）、睡眠段階が条件（深度条件）を満たしたことを示す継続フラグを加算する（ステップＳ４５）。言い換えると、判定部５０は、深度算出部３０により算出されたエポックごとの第二の深度指標αが下式（１）を満たす場合に、当該エポックにおける被験者Ｓの睡眠段階がノンレム睡眠状態の最大レベルに達していると判定して継続フラグを加算する。
【００６６】
（数１）
α２−γ・β≦α≦α２＋γ・β      （１）
【００６７】
なお、上述のようにノンレム睡眠状態と誤ってレム睡眠状態の深度指標をもって開始条件を満たしたと誤判定しないよう、直近の複数のエポックにおける深度指標の分散値を算出することによって被験者Ｓの睡眠状態を判定してもよい。そして、被験者Ｓがノンレム睡眠状態にあると判定された場合について、第二の深度指標αと第一の深度指標α２との差分の絶対値を算出して、これが深度閾値（γ・β）以下であったときに開始条件を満たすと判定するとよい。
【００６８】
図８に示す例の場合、被験者Ｓの睡眠段階の最大レベル（Ｌｖ４）が、α２±γ・βの範囲に含まれる。
【００６９】
継続フラグが所定の継続閾値Ｔ１に到達した場合、すなわち継続条件を満たした場合、判定部５０は、深度条件が継続して満たされたと判定する（ステップＳ４６：ＹＥＳ）。一例として、１エポックの長さを３０秒間とし、継続閾値Ｔ１を２乃至４０とすることができる。これにより、１分間乃至２０分間にわたって深度条件が継続して満たされたと判断された場合（ステップＳ４４：ＹＥＳ）に、判定部５０は血圧測定の開始条件を満たしたと判定する（ステップＳ４６：ＹＥＳ）。
【００７０】
継続フラグが継続閾値Ｔ１に未達の場合（ステップＳ４６：ＮＯ）には、次のエポックに関する生体情報ＢＩの測定に戻る（ステップＳ４１）。
一方、判定部５０は、新たに算出された第二の深度指標αと、記憶されている第一の深度指標α２と、の差異が深度閾値（γ・β）より大きいと判定すると（ステップＳ４４：ＮＯ）、継続フラグの値を初期化する（ステップＳ４７）。そして、次のエポックに関する生体情報ＢＩの測定に戻る（ステップＳ４１）。
【００７１】
図８に示す例の場合、１回目の睡眠周期では時刻３０分から６５分まで３５分間（＝Ｔａ）にわたって深度条件を満たし、２回目の睡眠周期では時刻１３５分から１４５分まで１０分間（＝Ｔｂ）にわたって深度条件を満たす。ここで、例えば継続閾値Ｔ１＝３０、エポック長さが３０秒間と設定されている場合、深度条件を１５分間にわたって継続して満足した場合に継続条件を満たすこととなる。図８の場合、１回目の睡眠周期における時刻４５分（ＳＴＲ）において継続条件を満たす。このように、深度条件と継続条件を重畳して血圧測定の開始条件を判定する。２回目の睡眠周期ではＴｂが短いため継続条件を満たすことはない。３回目以降の周期では、深度閾値を満たさない。
【００７２】
血圧測定の開始条件を満たしたと判定部５０が判定すると、判定部５０は送受信部２６、１４８を通じて測定開始信号を血圧測定部１０に送信する。測定開始信号を受信した血圧測定部１０において、圧力調整部１４はエアーポンプ１４２を駆動して空気袋１２２を加圧することで被験者Ｓの腕部ＳＡを圧迫し、この空気袋１２２の内圧を圧力センサ１６０が測定して脈波信号ＰＳを取得する。血圧算出部１６は、各種信号処理が施された脈波信号ＰＳから最高血圧および最低血圧の血圧値を算出する（血圧測定工程Ｓ５０）。血圧値の測定結果は送受信部１４８から送受信部２６および制御演算部６０を介して記憶部４０に記録される（ステップＳ５２）。
【００７３】
第一方法によれば、被験者Ｓの睡眠段階が最も深いときに血圧値が測定される。この血圧値は被験者Ｓの最も安定した基底血圧として健康管理に有用である。
【００７４】
第一方法においては、判定工程Ｓ４０における判定結果に基づいて閾値（深度閾値、継続閾値）を増減させる閾値更新工程Ｓ５４を任意で行ってもよい。具体的には、ステップＳ４６において開始条件を満たしたと判定された場合に、深度算出部３０は、第一の深度指標α２と、睡眠段階が条件を満たすと判定された第二の深度指標αのうち最も深い睡眠段階を示す指標（最大深度指標α３）と、の平均値（指標平均値αＡ）を算出する。記憶部４０は、この指標平均値αＡを新たな第一の深度指標α２として記憶する。
さらに、記憶部４０に記憶されている閾値係数γを、より小さな値に更新するとよい。
【００７５】
指標平均値αＡは、第一の深度指標α２と最大深度指標α３との単純平均値でもよく、または最大深度指標α３に加重した移動平均値でもよい。このように、第一方法では、開始条件を満足した場合に、第一の深度指標α２を指標平均値αＡに更新する。このため、仮に予備工程Ｓ１０において特異に浅いまたは深い睡眠に対応する第一の深度指標α２が抽出されたとしても、本測定工程Ｓ３０を何日か繰り返すことで、被験者Ｓの睡眠特性に対応した第一の深度指標α２に更新されていく。このため、一晩の間に開始条件を一度も満たさないという不都合の発生が減少していく。また、第一の深度指標α２を指標平均値αＡに更新することと併せて閾値係数γを低減することで、深度閾値の充足判定（ステップＳ４４）が過剰に緩和されることが防止される。すなわち、閾値係数γを小さくして深度閾値（γ・β）を減少させることで、被験者Ｓの睡眠段階が指標平均値αＡに良く対応するまで深度判定（ステップＳ４４）の結果が肯定されないため、精度の良い深度判定が可能になる。
一方で、一晩の間に本測定工程Ｓ３０において開始条件を一度も満たさなかった場合（ステップＳ４６：ＮＯ）には、記憶部４０に記憶されている閾値係数γを、より大きな値に更新するとよい。この場合、記憶部４０に記憶されている第一の深度指標α２を、当該一晩における最も深い睡眠段階に対応する深度指標α（最大深度指標α３）に置換するか、または第一の深度指標α２と深度指標α３との平均値に置換してもよい。これにより、以後の本測定工程Ｓ３０において開始条件を満たすと判定される可能性が高められる。
【００７６】
血圧測定工程Ｓ５０において血圧値が測定された後は、判定工程Ｓ４０の実行を停止するとよい。これにより、ひとつの睡眠周期において血圧測定が何度も繰り返されることがない。また、上述のように、睡眠周期ごとに繰り返される最も深い睡眠状態は一晩の間に徐々に浅くなっていくため、ひとたび血圧値が測定されると、その後の睡眠周期で睡眠段階の最大値（最深値）が更新される蓋然性は低い。このため、判定工程Ｓ４０を停止して血圧測定装置１００の省電力を図るとよい。また、一晩の間に複数回にわたって血圧測定をすることがないため、被験者Ｓの睡眠が阻害されにくい。
【００７７】
なお第一方法については種々の変形を許容する。
以上のように、深度閾値と継続閾値を用いて開始条件を判定する第一方法によれば、被験者Ｓの睡眠段階のばらつきによる偶発的かつ瞬間的な深い睡眠を誤検知することがない。しかしながら、被験者Ｓが実際には深い睡眠に至っているにもかかわらず、生体情報ＢＩにばらつきが生じるなどして偶発的に深度指標αが深度条件を満たさなくなる場合がある。血圧測定の開始条件の判定が過度に厳格になることを回避するため、以下の方法を採用することができる。
【００７８】
方法１．深度判定（ステップＳ４４）で第二の深度指標αと第一の深度指標α２との差異が深度閾値（γ・β）より大きいと判定された場合に、ステップＳ４７において継続フラグの値を初期化するのではなく、継続フラグを減算する。これにより、深度指標αに偶発的なばらつきが生じても、それまでの深度判定の結果を生かして血圧測定の開始条件を判定することができる。継続フラグがゼロ（初期値）の場合は減算しない。
方法２．予備工程Ｓ１０で測定された睡眠特性から、適当な閾値係数γを算出してもよい。具体的には、予備工程Ｓ１０で測定されたいずれかの睡眠周期において、深度指標αが上式（１）を継続して満たす時間がＴ１の２倍以上、好ましくは３倍以上となるように閾値係数γを決定するとよい。これにより、一つの睡眠周期のノンレム睡眠状態おいて、継続判定（ステップＳ４６）を繰り返す中で偶発的に深度判定が否定（ステップＳ４４：ＮＯ）されて継続フラグが初期化（ステップＳ４７）されたとしても、リスタートした継続判定（ステップＳ４６）を繰り返すことで、継続フラグが継続閾値Ｔ１に到達することが可能になる。
【００７９】
また、第一方法では、予備工程Ｓ１０と本測定工程Ｓ３０において、同種の生体情報ＢＩである体動情報ＭＶを検出部２４で取得して深度指標αを算出することを例示したが、本発明はこれに限られない。予備工程Ｓ１０で算出されて記憶部４０に記憶されている安静時指標α１および第一の深度指標α２と、本測定工程Ｓ３０で算出される深度指標αとは、異種の生体情報ＢＩに基づいて算出されたものでもよい。言い換えると、第一の深度指標α２と睡眠段階との換算式と、第一の深度指標α２と睡眠段階との換算式とは異なるものでもよい。そして、判定工程Ｓ４０においては、上式（１）のように深度指標同士を対比して深度判定することに代えて、第一の深度指標α２から換算される睡眠段階と、第二の深度指標αから換算される睡眠段階と、を対比して深度判定してもよい。
【００８０】
また第一方法では最も深い睡眠段階を血圧測定の開始条件としたが、本発明はこれに限られない。例えば、レム睡眠段階になったことを血圧測定の開始条件としてもよい。この場合、予備工程Ｓ１０ではレム睡眠段階（状態ＲＥＭ）に対応する第一の深度指標α２を算出して記憶部４０に記憶しておく。本測定工程Ｓ３０では、睡眠中の被験者Ｓの体動情報ＭＶから算出された第二の深度指標αが、第一の深度指標α２の近傍に達した場合に充足する深度条件（第一条件）と、当該睡眠周期において睡眠段階が漸減した（徐々に浅くなった）うえで深度条件を充足したときに肯定される漸減条件（第二条件）と、を併用するとよい。第一条件および第二条件を両方とも満足したときに、被験者Ｓがレム睡眠段階にあると判定して血圧測定を開始するとよい。これにより、レム睡眠段階の血圧値を測定することができる。このように、本発明においては、深度指標の値のみならず、深度指標が示す睡眠段階の増加または減少傾向や増減変化速度を血圧測定の開始条件に含めてもよい。
【００８１】
また、第一方法に代えて、血圧測定の終了後も体動情報ＭＶの測定（ステップＳ４１）および深度指標αの算出（ステップＳ４３）を繰り返し、一連の睡眠中に血圧値を複数回にわたって測定してもよい。そして、当該複数回の測定結果として得られた最高血圧と最低血圧の各平均値を算出し、被験者Ｓの基底血圧として記憶部４０に記録してもよい。
【００８２】
＜第二実施形態＞
図９は第二実施形態の血圧測定装置１００の構成を示すブロック図である。
本実施形態の血圧測定装置１００は、カフ帯（圧迫部１２）を用いて生体情報ＢＩと血圧データＢＰの両方を測定する点で第一実施形態と相違する。圧迫部１２の構造は、図３（ａ）および（ｂ）に示した第一実施形態と共通する。
【００８３】
本実施形態の血圧測定装置１００は、睡眠中の被験者Ｓの腕部ＳＡの脈波の圧力を示す拍動情報（生体情報ＢＩ）を圧力センサ１６０により所定のサンプリング周波数で取得する。拍動情報（生体情報ＢＩ）としては、例えば脈波の圧力波形を示す脈波信号ＰＳや脈拍数の数値データを例示することができる。
【００８４】
深度算出部３０は、拍動情報に基づいて被験者Ｓの睡眠段階を表す深度指標αを算出する。判定部５０は、深度算出部３０が算出した深度指標αに基づいて、血圧測定の開始条件の充足性を判定する。その開始条件が充足すると、圧力センサ１６０を用いて被験者Ｓの血圧値を測定する。すなわち、圧力センサ１６０は生体情報取得部２０および血圧測定部１０として機能する。図９では、血圧算出部１６、フィルタ１６２、アンプ１６４およびコンバータ１６６（図２を参照）の図示を省略している。血圧信号処理系を構成するこれらの要素は本実施形態の血圧測定部１０に包含されている。
【００８５】
血圧測定装置１００は、被験者Ｓの体組織を局所的に圧迫する圧迫部１２と、この圧迫部１２が圧迫する圧迫圧を昇降調整する圧力調整部１４と、を備えている。圧迫部１２は、具体的には空気袋１２２を内包するカフ帯である。圧力調整部１４、エアーポンプ１４２および開閉弁１４６（圧力制御系）の構成は第一実施形態（図２を参照）と共通する。
【００８６】
圧力センサ１６０（生体情報取得部２０）で拍動情報を検出するにあたっては、空気袋１２２で腕部ＳＡを軽く圧迫した状態で空気袋１２２の内圧を圧力センサ１６０で測定する。一方、圧力センサ１６０（血圧測定部１０）で血圧値を測定するにあたっては、被験者Ｓの最高血圧と同等またはそれ以上まで腕部ＳＡを強く圧迫した状態で空気袋１２２の内圧を圧力センサ１６０で測定することが好ましい。
【００８７】
すなわち、本実施形態の生体情報取得部２０は、圧迫部１２により第一の圧力Ｐ１で圧迫されている体組織（腕部ＳＡ）から被験者Ｓの拍動（脈波）を示す拍動情報を生体情報ＢＩとして取得する。そして、血圧測定部１０は、圧迫部１２により第一の圧力Ｐ１よりも高い第二の圧力Ｐ２で圧迫されている体組織（腕部ＳＡ）から血圧値を測定する。
【００８８】
第二の圧力Ｐ２は被験者Ｓの最低血圧未満から最高血圧と同等またはそれよりも高い圧力まで変動する。第一の圧力Ｐ１は、一般的な被験者Ｓの最低血圧よりも低い値に設定された固定の圧力である。
【００８９】
本実施形態の血圧測定装置１００を用いた血圧測定方法（第二方法）の全体工程、予備工程Ｓ１０および本測定工程Ｓ３０を示すフローチャートは、第一実施形態と共通である（図４から図６を参照）。
【００９０】
本実施形態の血圧測定装置１００は、生体情報ＢＩの測定時（ステップＳ４１）に腕部ＳＡを圧迫する点で第一実施形態と相違する。このため、第二方法では生体情報ＢＩを測定するサンプリング周波数を抑制し、例えば１分間に０．２乃至２回程度とするとよい。生体情報ＢＩの測定は、それぞれ数秒間で行うとよい。そして、生体情報ＢＩの測定終了から次回の生体情報ＢＩの測定開始までの間には、圧力調整部１４は開閉弁１４６を開放して圧迫部１２の空気袋１２２による圧迫圧（第一の圧力Ｐ１）を低下させるとよい。
【００９１】
言い換えると、本実施形態の圧力調整部１４は、生体情報取得部２０が拍動情報を取得した後に圧迫部１２の圧力（内圧Ｐ）を第一の圧力Ｐ１から排圧する。血圧測定部１０は、被験者Ｓの睡眠段階が開始条件を満たしたことを示す判定結果を判定部５０から受け付けると、排圧された圧迫部１２の内圧Ｐを第二の圧力Ｐ２まで昇圧する。
【００９２】
圧迫部１２の排圧時には、腕部ＳＡへの圧迫圧が実質的にゼロ（非圧迫状態）になるように、空気袋１２２の内圧を大気圧近傍まで減圧する。非圧迫状態とは被験者Ｓが圧迫圧を知得しないレベルである。圧力調整部１４は、開閉弁１４６を開放することで空気袋１２２の内圧を減圧することができる。また、圧力調整部１４は、圧迫部１２の排圧を非圧迫状態まで行うとともに、排圧の終了から昇圧の開始までの間の少なくとも一部の時間にわたって加圧機構１４４の動作を停止させる。なお、加圧機構１４４が動作を停止しているとは、加圧機構１４４が待機状態または通電遮断状態にあるなど、空気袋１２２の加圧または保圧のための運転をしていない状態をいう。言い換えると、加圧機構１４４が備える加圧用のモーターやアクチュエータ等の駆動部品が静音停止している状態をいう。これにより、生体情報ＢＩの測定インターバルにおける加圧機構１４４の騒音が抑えられ、被験者Ｓの睡眠を損なうことが低減される。
第二方法のステップＳ４１において、圧力調整部１４は開閉弁１４６を閉止するとともに加圧機構１４４に通電して空気袋１２２の内圧を第一の圧力Ｐ１まで上昇させて圧迫部１２を腕部ＳＡの周囲に密着させる（図３（ｂ）を参照）。この状態で圧力センサ１６０は腕部ＳＡから生体情報ＢＩ（拍動情報）を取得する。
【００９３】
制御演算部６０は生体情報ＢＩを記憶部４０に記録し（ステップＳ４２）、深度算出部３０は生体情報取得部２０（圧力センサ１６０）が測定した生体情報ＢＩから深度指標αを算出する（ステップＳ４３）。判定部５０は、算出された深度指標α（第二の深度指標α）と、記憶部４０に記憶されている第一の深度指標α２とに基づいて被験者Ｓの睡眠段階を深度判定する（ステップＳ４４）。この深度判定が、所定の継続条件にわたって継続して成立した場合には（ステップＳ４６：ＹＥＳ）、血圧測定部１０（圧力センサ１６０）は腕部ＳＡから血圧値を測定する（ステップＳ５０）。血圧値の測定結果は記憶部４０に記録され（ステップＳ５２）、任意で第一の深度指標α２を更新する（閾値更新工程Ｓ５４）。
【００９４】
第二方法は、空気袋１２２の内圧の変動波形を圧力センサ１６０で取得して被験者Ｓの睡眠段階を深度判定する。第一の深度指標α２に対応する睡眠段階の最大レベルに近接する睡眠状態が所定の長さにわたって継続すると、同じく空気袋１２２の内圧の変動波形を圧力センサ１６０で取得して最高血圧と最低血圧を測定する。これにより、判定工程Ｓ４０と血圧測定工程Ｓ５０とで一つのカフ帯（圧迫部１２）を兼用して被験者Ｓの基底血圧を測定することができる。
【００９５】
なお、本発明は上述の実施形態に限定されるものではなく、本発明の目的が達成される限りにおける種々の変形、改良等の態様も含む。
【００９６】
第一および第二実施形態の血圧測定装置１００においては、カフ帯を用いて被験者Ｓの血圧値を測定することを例示した。カフ帯による血圧測定は、被験者Ｓの臥位によって測定不良が生じることがある。具体的には、カフ帯（血圧測定部１０）を装着した腕部ＳＡを体の下側とする横臥位の場合に被験者Ｓの自重が空気袋１２２の内圧に負荷されたり、カフ帯にずれや外れが生じたりする場合がある。そこで、上記第一方法または第二方法の血圧測定工程Ｓ５０においては、圧力調整部１４による圧迫部１２の内圧Ｐの昇降プロファイルに基づいて血圧値の測定不良を検知するとよい。
【００９７】
昇降プロファイルとしては以下を例示することができる。血圧測定の開始から終了までの所要時間、圧迫部１２の内圧Ｐの最大値（第二の圧力Ｐ２）、血圧測定開始時に加圧機構１４４を起動した直後の圧迫部１２（空気袋１２２）の内圧Ｐの上昇速度、血圧測定終了後に開閉弁１４６を開放した直後の圧迫部１２（空気袋１２２）の内圧Ｐの下降速度などである。予備工程Ｓ１０では、これらの昇降プロファイルの一または複数の適否を条件判定するための参照プロファイル情報を取得して記憶部４０に記録してもよい。または血圧測定装置１００に固有の情報として、ユーザに供する前に参照プロファイル情報を予め記憶部４０に記録しておいてもよい。
【００９８】
血圧測定工程Ｓ５０において、制御演算部６０は、圧迫部１２の内圧Ｐの昇降プロファイルを測定し、これを記憶部４０に記録されている参照プロファイル情報との乖離度を算出する。制御演算部６０は、予め設定されている閾値よりもこの乖離度が大きい場合に測定不良と判定する。
【００９９】
図１０は、本変形例の血圧測定工程Ｓ５０を示すフローチャートである。ここでは降圧式で血圧値を測定することを例示する。血圧測定工程Ｓ５０に先立ち、就寝前の被験者Ｓから予備工程Ｓ１０（図４を参照）として最高血圧を測定し、これに所定の係数を乗じて圧迫部１２の内圧Ｐの加圧目標値Ｐ２０を決定しておく。また、予備工程Ｓ１０における血圧測定の開始から終了までの所要時間（目標測定時間Ｔ２０）を計測しておく。加圧目標値Ｐ２０および目標測定時間Ｔ２０は参照プロファイル情報であり、これらを記憶部４０に記録しておく。
【０１００】
本測定工程Ｓ３０において、判定部５０が血圧値の開始条件を満たしたことを判定すると（ステップＳ４６：ＹＥＳ、図６を参照）、圧力調整部１４はエアーポンプ１４２の加圧機構１４４を駆動して空気袋１２２の内圧Ｐの加圧を開始する（ステップＳ５０１）。圧力調整部１４は、エアーポンプ１４２のポンプ圧が加圧目標値Ｐ２０に達すると空気袋１２２の加圧を停止する（ステップＳ５０２）。
【０１０１】
圧力調整部１４は、開閉弁１４６を僅かに開放して空気袋１２２の内圧Ｐを徐々に減圧させる。この間に、圧力センサ１６０（血圧測定部１０）は被験者Ｓの最高血圧と最低血圧をこの順に測定する（ステップＳ５０３、Ｓ５０４）。最低血圧の測定後、圧力調整部１４は開閉弁１４６を開放して空気袋１２２を排圧する。制御演算部６０は、ステップＳ５０２で圧力センサ１６０が測定した空気袋１２２の内圧Ｐの最大値（第二の圧力Ｐ２）と、ステップＳ５０１の開始からステップＳ５０４の終了までの所要時間（測定時間Ｔ２）を取得する（ステップＳ５０５）。
【０１０２】
制御演算部６０は、第二の圧力Ｐ２と加圧目標値Ｐ２０、および測定時間Ｔ２と目標測定時間Ｔ２０をそれぞれ対比し、閾値との大小判定に基づいて測定不良を判定する（ステップＳ５０６）。具体的には、第二の圧力Ｐ２が加圧目標値Ｐ２０よりも顕著に小さい場合は、カフ帯（圧迫部１２）が腕部ＳＡからずれているか、または外れていることが推定される。また、測定時間Ｔ２が目標測定時間Ｔ２０よりも顕著に短い場合は、被験者Ｓが横臥位にありカフ帯（圧迫部１２）に被験者Ｓの自重が負荷されていることが推定される。
【０１０３】
測定不良と判定されると（ステップＳ５０６：ＹＥＳ）、制御演算部６０は、測定不良があったことを入出力部２８においてメッセージなどで報知出力する（ステップＳ５０７）。なお、制御演算部６０は、測定不良が検知された場合にあっても、測定された血圧データＢＰを入出力部２８で出力してもよい。これにより被験者Ｓは、出力された血圧データＢＰの測定精度が低いことを認識しつつも血圧値の測定結果を得ることができる。測定不良が判定されなかった場合は（ステップＳ５０６：ＮＯ）、通常の記録工程（ステップＳ５２：図６を参照）を行う。
【０１０４】
また、測定不良が検知された場合には、閾値更新工程Ｓ５４（図６を参照）をスキップしてもよく、または当該測定不良の血圧測定工程Ｓ５０の開始条件に用いられた第二の深度指標α（最大深度指標α３）に低い重率を付与して指標平均値αＡを算出してもよい。具体的には、深度算出部３０は、第一の深度指標α２には第一の重率ｋ２を乗じ、そして最大深度指標α３には第一の重率ｋ２よりも小さな第二の重率ｋ３を乗じて、指標平均値αＡを算出する。これらの第一の重率ｋ２と第二の重率ｋ３は記憶部４０に記憶されている。このように測定不良が検知された場合を除いて、または低い重率を付与して指標平均値αＡを算出することにより、被験者の個々の睡眠特性に適応した開始条件で血圧値が測定される。これにより、本実施形態の血圧測定装置１００を繰り返して使用することにより、被験者ごとのより正確な基底血圧を測定することができる。
【０１０５】
その他の変形例として、以下のように構成することもできる。深度算出部３０は、生体情報取得部２０が取得した生体情報ＢＩに基づいて被験者Ｓの睡眠段階を繰り返し算出する。上述の通り、睡眠段階とは、被験者Ｓの睡眠の深さの度合いを定量化したものである。また、記憶部４０には、予め、血圧の測定に適した睡眠の深さを示す所定の睡眠段階（参照睡眠段階）が記憶されている。参照睡眠段階は、例えばノンレム睡眠状態に対応する睡眠段階とすることができる。そして、判定部５０は、深度算出部３０が算出した睡眠段階と、記憶部４０に記憶されている参照睡眠段階とを比較することで、被験者Ｓの睡眠段階が参照睡眠段階になったか否かを判定する。また、判定部５０はその判定結果を利用し、被験者Ｓの睡眠段階が、所定時間（設計的事項、例：１分乃至２０分の中のいずれか）、参照睡眠段階を継続しているか判定する。そして、判定部５０は、被験者Ｓの睡眠段階が、所定時間、参照睡眠段階を継続していると判定した場合、被験者Ｓの睡眠段階が血圧測定の開始条件を満たすと判定する。その他の構成は、第１及び第２の実施形態と同様とすることができる。当該変形例によれば、上記実施形態における第一の深度指標を決定し、記憶部４０に記憶させるための事前準備を無くすことができる。また、当該変形例によれば、睡眠段階が所定の状態を所定時間継続したことをトリガに血圧値を測定する。すなわち、所定時間より短い時間、例えば一瞬だけ被験者の睡眠段階が所定の状態（参照睡眠段階）となっても、それを血圧値測定のトリガにしない。このため、被験者の睡眠段階の判定を精度よく行うことができ、結果、真に安定した血圧値を精度よく測定することが可能となる。
【０１０６】
なお、当該変形例において、深度算出部３０は、少なくとも２種類の生体情報ＢＩを利用して、睡眠段階を算出してもよい。このようにすれば、算出される睡眠段階の信用度が増し好ましい。
【０１０７】
また、当該変形例において、深度算出部３０は、生体情報ＢＩの測定値のバラつき具合を利用して、睡眠段階を算出してもよい。バラつきが大きければ睡眠は浅く、バラつきが小さければ睡眠が深い関係となる。例えば、深度算出部３０は、生体情報ＢＩの測定値から標準偏差、分散及び変動係数の中の少なくとも１つを算出し、算出結果に基づいて、睡眠段階を算出してもよい。例えば、深度算出部３０は、生体情報取得部２０が新たな生体情報ＢＩを取得する毎に、生体情報取得部２０が取得した最新の生体情報ＢＩから所定条件前（例：所定時間前までの測定値、所定回数前までの測定値）までの測定値（生体情報ＢＩ）のみを用いて、このようなバラツキの程度を示す値を算出する。このように、生体情報ＢＩの測定値のバラつき具合を利用して睡眠段階を算出すれば、算出される睡眠段階の信用度が増し好ましい。
【０１０８】
なお、深度算出部３０が生体情報ＢＩの測定値のバラつき具合を利用して睡眠段階を算出する場合、深度算出部３０は、予め、バラツキの程度を示す値（標準偏差、分散及び変動係数等）と、睡眠段階との対応関係を示す対応データ（例：テーブル、バラつきの程度を示す値から睡眠段階を算出する所定の演算式）を保持しておき、当該対応データを利用して、睡眠段階を算出することができる。この対応データは、被験者Ｓごとにカスタマイズされたものであってもよい。例えば、血圧測定を行うための睡眠の前における被験者Ｓ毎の睡眠を利用して、被験者Ｓ毎に生体情報ＢＩのバラツキ具合と睡眠の深さとの関係を調べ、上記対応データを作成し、深度算出部３０に保持させておいてもよい。このようにすれば、算出される睡眠段階の信用度が増し好ましい。
【０１０９】
本発明の血圧測定装置１００は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。そして、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。そして、本発明の各種の構成要素は、個々に独立した存在である必要はなく、一つの構成要素が他の構成要素の一部であること、ある構成要素の一部と他の構成要素の一部とが重複していること、等を許容する。
【０１１０】
本発明の構成要素（記憶部４０）がデータを記憶するとは、本発明の装置がデータを記憶する機能を有することを意味するものであり、かかる装置の使用前に当該データが格納されていることを必ずしも要しない。
【０１１１】
上記実施形態は、以下の技術思想を包含するものである。
（１）被験者の血圧値を測定する血圧測定手段と、前記被験者の生体情報を継続して取得する生体情報取得手段と、取得された前記生体情報に基づいて前記被験者の睡眠段階を示す深度指標を繰り返し算出する深度算出手段と、算出された前記深度指標を記憶しておく記憶手段と、前記記憶手段に記憶されている第一の前記深度指標と、前記深度算出手段が算出した第二の前記深度指標と、に基づいて、睡眠中の前記被験者の前記睡眠段階が所定の条件を満たすか否かを判定する判定手段と、を備え、前記血圧測定手段が、前記睡眠段階が前記条件を満たすと判定されたときに前記血圧値を測定する血圧測定装置。
（２）前記第一の深度指標は、異なるタイミングで取得された前記生体情報に基づいてそれぞれ算出された複数の前記深度指標のうち最も深い前記睡眠段階を示す前記深度指標である上記（１）に記載の血圧測定装置。
（３）前記判定手段は、算出された前記第二の深度指標と前記第一の深度指標との差異が所定長さにわたり繰り返して閾値以下である場合に前記条件を満たすと判定する上記（２）に記載の血圧測定装置。
（４）前記深度算出手段は、前記第一の深度指標と、前記睡眠段階が前記条件を満たすと判定された前記第二の深度指標のうち最も深い前記睡眠段階を示す前記第二の深度指標と、の平均値を算出し、前記記憶手段は、前記平均値を新たな前記第一の深度指標として記憶する上記（２）または（３）に記載の血圧測定装置。
（５）前記被験者の体組織を局所的に圧迫する圧迫手段と、前記判定手段と接続され前記圧迫手段が前記体組織を圧迫する圧力を昇降自在に調整する圧力調整手段と、を含み、圧迫されている前記体組織から非観血的に前記血圧値を測定する上記（１）から（４）のいずれかに記載の血圧測定装置。
（６）前記生体情報取得手段は、臥位の前記被験者の下に敷いて用いられる敷設部と、前記敷設部に負荷される前記被験者の自重に基づいて前記被験者の体動を示す体動情報を前記生体情報として取得する検出部と、を含む上記（５）に記載の血圧測定装置。
（７）前記生体情報取得手段は、前記圧迫手段により第一の圧力で圧迫されている前記体組織から前記被験者の拍動を示す拍動情報を前記生体情報として取得し、前記血圧測定手段は、前記圧迫手段により前記第一の圧力よりも高い第二の圧力で圧迫されている前記体組織から前記血圧値を測定する上記（５）に記載の血圧測定装置。
（８）前記圧力調整手段は、前記生体情報取得手段が前記拍動情報を取得した後に前記圧力を前記第一の圧力から排圧し、かつ、前記睡眠段階が前記条件を満たしたことを示す判定結果を前記判定手段から受け付けると、排圧された前記圧力を前記第二の圧力まで昇圧することを特徴とする上記（７）に記載の血圧測定装置。
（９）空気袋と、加圧機構で空気を加圧して前記空気袋に供給するエアーポンプと、を含み、前記圧力調整手段は、前記排圧を非圧迫状態まで行うとともに、前記排圧の終了から前記昇圧の開始までの間の少なくとも一部の時間にわたって前記加圧機構の動作を停止する上記（８）に記載の血圧測定装置。
（１０）前記圧力調整手段による前記圧力の昇降プロファイルに基づいて前記血圧値の測定不良を検知する上記（５）から（９）のいずれかに記載の血圧測定装置。
（１１）前記測定不良が検知された場合に、前記深度算出手段は、前記第一の深度指標に第一の重率を乗じ、前記第二の深度指標に前記第一の重率よりも小さな第二の重率を乗じて前記平均値を算出することを特徴とする上記（４）にかかる上記（１０）に記載の血圧測定装置。
（１２）睡眠中の被験者の生体情報を取得して前記被験者の睡眠段階を示す第一の深度指標を算出する予備工程と、算出された前記第一の深度指標を記憶する工程と、前記予備工程とは異なる睡眠中の前記被験者の生体情報を取得して前記睡眠段階を示す第二の深度指標を算出し、記憶されている前記第一の深度指標と算出された前記第二の深度指標とに基づいて前記睡眠段階が所定の条件を満たすか否かを判定する判定工程と、を含み、前記判定工程を繰り返して実行し、前記睡眠段階が前記条件を満たすと判定されたときに前記被験者の血圧値を測定することを特徴とする血圧測定方法。
（１３）前記予備工程において、異なるタイミングで取得された前記生体情報に基づいて複数の前記深度指標を算出し、前記複数のうち最も深い前記睡眠段階を示す前記深度指標を前記第一の深度指標として記憶する上記（１２）に記載の血圧測定方法。
（１４）所定長さにわたり繰り返して実行された前記判定工程で前記第一の深度指標と前記第二の深度指標との差異が閾値以下であったときに前記条件を満たすと判定する上記（１３）に記載の血圧測定方法。
（１５）前記判定工程における判定結果に基づいて前記閾値を増減させることを特徴とする上記（１４）に記載の血圧測定方法。
（１６）前記血圧値が測定された後、前記判定工程の実行を停止する上記（１２）から（１５）のいずれかに記載の血圧測定方法。
【符号の説明】
【０１１２】
１０：血圧測定部、１１：処理部、１２：圧迫部、１２２：空気袋、１２６：接合部、１４：圧力調整部、１４２：エアーポンプ、１４４：加圧機構、１４６：開閉弁、１４８：送受信部、１６：血圧算出部、１６０：圧力センサ、１６２：フィルタ、１６４：アンプ、１６６：コンバータ、２０：生体情報取得部、２２：敷設部、２４：検出部、２６：送受信部、２８：入出力部、３０：深度算出部、４０：記憶部、５０：判定部、６０：制御演算部、１００：血圧測定装置、２００：ベッドパッド、２０１：マットレス、α：（第二の）深度指標、α１：安静時指標、α２：第一の深度指標、α３：最大深度指標、αＡ：指標平均値、β：乖離幅、γ：閾値係数、ＢＩ：生体情報、ＢＰ：血圧データ、ＭＶ：体動情報、ＰＳ：脈波信号、Ｓ：被験者、ＳＡ：腕部
【図１】
0005613922.tif 000002
【図２】
0005613922.tif 000003
【図３】
0005613922.tif 000004
【図４】
0005613922.tif 000005
【図５】
0005613922.tif 000006
【図６】
0005613922.tif 000007
【図７】
0005613922.tif 000008
【図８】
0005613922.tif 000009
【図９】
0005613922.tif 000010
【図１０】
0005613922.tif 000011